(57)【特許請求の範囲】
【請求項１】
ドア上枠に敷設した吊りレールにローラが転動することで戸体が左右移動をして開口部の開閉を行うように構成した上吊り式引き戸において、ドア下枠には、該ドア下枠に設けられる戸体用の振れ止め体よりも戸尻側位置に位置して戸体の屋外方向への抉じ開け防止をするための抉じ開け防止体を設けるにあたり、該抉じ開け防止体は、戸体の戸厚方向の幅が振れ止め体よりも幅狭に形成されていて、振れ止め体の屋内側端を越えて戸体の屋内側面に近接対向することがないように設定したことを特徴とする上吊り式引き戸の防犯装置。
【請求項２】
抉じ開け防止体は、全閉した戸体の戸尻側端部が対向するドア縦枠に対して対向する位置に設けられていることを特徴とする請求項１記載の上吊り式引き戸の防犯装置。
【請求項３】
抉じ開け防止体は、戸体の厚さ方向に向けて長く構成されていることを特徴とする請求項１または２記載の上吊り式引き戸の防犯装置。
【発明の詳細な説明】
【技術分野】
【０００１】
本発明は、建築物の開口部を開閉する上吊り式引き戸の防犯装置の技術分野に関するものである。
【背景技術】
【０００２】
一般に、建築物の開口部を開閉する上吊り式引き戸にあっては、ドア下枠（沓摺り）に、全閉した戸体の戸尻側端部に向けて突出する振れ止め体を設け、該振れ止め体が戸体下端縁に凹溝状に形成した下フレームに遊嵌状に嵌合することで、全閉時における戸体下端部の戸尻側部位が内外に振れてしまうのを防止するようにしたものがある。
ところでこのような引き戸においては、全閉した戸体の戸尻側端部とドア縦枠とのあいだには隙間があり、ここにバールのような工具を差し込んで外側に向けて無理に抉じ開けようとすると、振れ止め体が簡単に破損して抉じ開けられてしまうという問題がある。
そこで特許文献１のもののように、戸体の戸尻側端面部とドア枠とのあいだに相决り状に係合する煙返しを設けて補強し、これによって抉じ開け防止を図るようにしたものが知られている。
【先行技術文献】
【特許文献】
【０００３】
【特許文献１】特開２０１１−２３１４９３号公報
【発明の概要】
【発明が解決しようとする課題】
【０００４】
しかしながらこのような補強をしたとしても、この煙返し部位には矢張り図９に示すように隙間Ｓが存在し、この隙間Ｓにバール等の工具を差し込み、強い力で無理やり抉じ開けようとすると、煙返し６部位と振れ止め体８の両者が破損する惧れがあり、依然として防犯性に劣るという問題が残り、ここに本発明の解決すべき課題がある。
【課題を解決するための手段】
【０００５】
本発明は、上記の如き実情に鑑みこれらの課題を解決することを目的として創作されたものであって、請求項１の発明は、ドア上枠に敷設した吊りレールにローラが転動することで戸体が左右移動をして開口部の開閉を行うように構成した上吊り式引き戸において、ドア下枠には、該ドア下枠に設けられる戸体用の振れ止め体よりも戸尻側位置に位置して戸体の屋外方向への抉じ開け防止をするための抉じ開け防止体を設けるにあたり、該抉じ開け防止体は、戸体の戸厚方向の幅が振れ止め体よりも幅狭に形成されていて、振れ止め体の屋内側端を越えて戸体の屋内側面に近接対向することがないように設定したことを特徴とする上吊り式引き戸の防犯装置である。
請求項２の発明は、抉じ開け防止体は、全閉した戸体の戸尻側端部が対向するドア縦枠に対して対向する位置に設けられていることを特徴とする請求項１記載の上吊り式引き戸の防犯装置である。
請求項３の発明は、抉じ開け防止体は、戸体の厚さ方向に向けて長く構成されていることを特徴とする請求項１または２記載の上吊り式引き戸の防犯装置である。
【発明の効果】
【０００６】
請求項１の発明とすることにより、抉じ開け防止体は、振れ止め体よりも戸尻側位置に設けられるため、抉じ開けによる振れ止め体の破損防止を図ることが出来ると共に、戸体とドア枠とのあいだの隙間に工具を差し込んで戸体を抉じ開けようとしたときに、戸体とドア枠とのあいだに侵入可能な隙間が発生しないものとなって抉じ開け防止をすることが出来る。
請求項２の発明とすることにより、戸体の戸尻側端部とドア枠とのあいだの隙間に工具を差し込んで戸体を抉じ開けようとしても、全閉した戸体の戸尻側端部に位置する抉じ開け防止体が戸体に当接して該戸体の変形や破損を防止することになるため、戸尻側端部からの抉じ開け行為に基づく戸体の変形や破損を極力防止することが出来る。
請求項３の発明とすることにより、抉じ開け防止体を、戸体の屋内側面に近接対向できるため、抉じ開けようとしたときに、振れ止め体が大きな損傷を受ける以前の段階で抉じ開け防止体が戸体屋内側面に当接して抉じ開け防止をすることになるため、抉じ開け行為を受けたときの振れ止め体の破損防止が図れるうえ、抉じ開け防止体は、抉じ開け方向に並ぶ複数の固定部材で固定できるため、より高い抉じ開け防止機能を発揮することができる。
【図面の簡単な説明】
【０００７】
【図１】上吊り式引き戸の全閉姿勢における概略全体正面図である。
【図２】第一の実施の形態における上吊り式引き戸の平面断面図である。
【図３】（Ａ）、（Ｂ）、（Ｃ）は、それぞれ第一の実施の形態における抉じ開け防止体の平面図、正面断面図、側面断面図である。
【図４】（Ａ）、（Ｂ）は、それぞれ第二の実施の形態における抉じ開け防止体の平面図、側面断面図である。
【図５】第三の実施の形態における上吊り式引き戸の全閉姿勢における概略全体正面図である。
【図６】第三の実施の形態における上吊り式引き戸の平面断面図である。
【図７】（Ａ）、（Ｂ）、（Ｃ）は、それぞれ第三の実施の形態における抉じ開け防止体の平面図、正面断面図、側面断面図である。
【図８】第四の実施の形態における抉じ開け防止体の平面図である。
【図９】従来の戸体戸尻側端部の平面断面図である。
【発明を実施するための形態】
【０００８】
以下、本発明の実施の形態について、図面に基づいて説明する。
図中、１は建築物の開口部を開閉する上吊り式の戸体であって、該戸体１は、上縁部に左右一対のローラブラケット２が突設され、該ローラブラケット２にそれぞれ軸承されるローラ２ａが戸枠３の上枠３ａに設けた案内レール４を左右方向移動自在に走行することにより、開口部を全閉する全閉姿勢と全開する全開姿勢とのあいだを変姿するように構成されている。そして、前記上枠３ａの戸先側部位（図１において左端側部位）には、開放した戸体１を自閉するための自閉装置５が取付けられており、これによって戸体１は自閉式の引き戸となっている。
尚、前記戸枠３は、上枠３ａ、戸先側縦枠３ｂ、中間縦枠３ｃ、戸尻側縦枠３ｄ、下枠（沓摺り）３ｅにより構成されている。
そして戸体１は、全閉姿勢となったとき、戸先側端が戸先側縦枠３ｂに当接する一方、戸尻側端部が中間縦枠３ｃに内外方向に対向しており、また全開姿勢になったとき、戸尻側端が戸尻側縦枠３ｄに当接する一方、戸先側端部が中間縦枠３ｃに内外方向に対向するようになっている。
【０００９】
戸体１の戸尻側端には、煙返し用の端材６が設けられているが、該端材６は、平面視でコ字形になっており、屋外側脚片６ａは戸体１の屋外側面１ａに当接し、跨片６ｂは戸体１の戸尻側端面１ｂに当接しているが、屋内側脚片６ｃは戸体１の屋内側面１ｃよりも屋内側に位置し、そして戸体１が全閉状態になったとき、屋内側脚片６ｃが中間縦枠３ｃに設けた嵌合溝７に遊嵌状に嵌合するようになっており、これによって相决り構造となって火災発生時の煙の侵入を防止するようになっている。
【００１０】
前記下枠３ｅの中間縦枠３ｃに略対向する部位には、戸体１の下端縁に設けられる冂字形凹溝状の下フレーム１ｄに遊嵌する振れ止め体（ガイドローラ）８が上方に向けて突設されていて、戸体１の下端部の内外方向の振れを防止するようになっている。そして振れ止め体８は、戸体１の全閉状態で戸体１の戸尻側端部に位置するようになっている。
【００１１】
さらに下枠３ｅには、振れ止め体８の戸尻側に位置して、該振れ止め体８に隣接するように抉じ開け防止体９がビス９ａを介して固着されている。該抉じ開け防止体９は、中間縦枠３ｃに屋内外方向で対向しているが、本実施の形態では戸体１の移動方向に向けて長い直方体形状をしたものが、戸体１の全閉状態で戸体１の戸尻側端面１ｂに近接対向している。そして、該抉じ開け防止体９の戸体１の戸厚方向の幅は振れ止め体８よりも幅狭に形成されていて戸体１の屋内外面と対向しており、さらに戸体１の前記下フレーム１ｄの溝奥面（天井面）１ｅには当接しない高さに形成されているが、本実施の形態の抉じ開け防止体９は、下フレーム１ｄの内外両脚片に対して略等距離だけ離間するように構成されている。そしてこのように抉じ開け防止体９が構成されることで、戸体１の全閉時、煙返し用の端材６の屋内側脚片６ｃと嵌合溝７の屋内側面とのあいだの隙間Ｓにバールのような工具を差し込んで無理やり戸体１を屋外側に抉じ開けようとしたとき、戸体１の戸尻側の屋内側脚片１ｆが抉じ開け防止体９に当接することで抉じ開け防止をするようになっている。
【００１２】
叙述の如く構成された本発明の実施の形態において、前述したように戸体１の全閉状態で、煙返し用端材６の屋内側脚片６ｃと嵌合溝７とのあいだの隙間Ｓにバールのような工具を差し込んで無理やり戸体１を屋外側に抉じ開けて戸体１の戸尻側端部を中間縦枠３ｃから引き離して空間を生じさせようとする行為があったとしても、戸体１の変形は、せいぜい戸体下フレーム１ｄの凹溝屋内側脚片１ｆが抉じ開け防止体９に当接するまでであって、これ以上の変形防止を図ることができ、人が侵入する程度までの戸体１の抉じ開けが回避され、防犯性が向上する。
【００１３】
また、抉じ開け防止体９は、振れ止め体８よりも戸体１の戸尻側に位置して設けられるため、抉じ開けようとする行為によって戸体１が抉じ開け防止体９に当接しても振れ止め体８が完全に破壊されるようなことがなく、振れ止め体８の破壊を防止する機能を果たすこともできる。そのうえ抉じ開け防止体９は、振れ止め体８と同様、戸体下フレーム１ｄに内嵌しているため、外部に露出してしまうことがなく、外観を損なうことがない。
【００１４】
尚、本発明は前述の実施の形態に限定されないことは勿論であって、前述の第一の実施の形態においては、抉じ開け防止体９を戸体下フレーム１ｄの内外両脚片から等距離離間するようにして設けたが、図４に示す第二の実施の形態の抉じ開け防止体１０のように、戸体下フレーム１ｄの屋内側脚片１ｆに偏寄させるように配しても良い。この場合、抉じ開け防止体１０の屋内側面１０ａの下端部には、戸体下端部に形成される折曲片１ｇに沿う切欠き１０ｂを形成し、抉じ開け防止体１０を出来るだけ屋内側脚片１ｆに偏寄させて配することが出来るようにしている。そしてこのようにすることで、前記戸体１の抉じ開け行為があったとき、屋内側脚片１ｆに振れ止め体８が僅かに当接した段階で屋内側脚片１ｆに抉じ開け防止体１０が当接してこれ以上の変形防止をする設定にできるため、振れ止め体８の損傷を防止でき、抉じ開け行為を受けた後においても戸体１の開閉移動に支障を来たすことを防止できることになる。
【００１５】
そしてこのような振れ止め体８の変形防止までをする抉じ開け防止体の構造としては、第一の実施の形態において抉じ開け防止体９の板厚を厚くしても良いが、図５、６、７に示す第三の実施の形態のように、抉じ開け防止体１１を戸体１の戸厚方向に向けて長い構成にしても良い。
【００１６】
第三の実施の形態における戸体１の戸尻側端には、煙返し用の端材６が設けられているが、該端材６は、平面視でコ字形になっており、屋外側脚片６ａは戸体１の屋外側面１ａに当接し、跨片６ｂは戸体１の戸尻側端面１ｂに当接しているが、屋内側脚片６ｃは戸体１の屋内側面１ｃよりも屋内側に位置し、そして戸体１が全閉状態になったとき、屋内側脚片６ｃが中間縦枠３ｃに設けた嵌合溝７に遊嵌状に嵌合するようになっており、これによって相决り構造となって火災発生時の煙の侵入を防止するようになっている。
【００１７】
前記下枠３ｅの中間縦枠３ｃに略対向する部位には、戸体１の下端縁に設けられる冂字形凹溝状の下フレーム１ｄに遊嵌する振れ止め体（ガイドローラ）８が上方に向けて突設されていて、戸体１の下端部の内外方向の振れを防止するようになっている。そして振れ止め体８は、戸体１の全閉状態で戸体１の戸尻側端部に位置するようになっている。
【００１８】
さらに下枠３ｅには、振れ止め体８の戸尻側に位置して、該振れ止め体８に隣接するように抉じ開け防止体１１がビス１１ａを介して固着されている。該抉じ開け防止体１１は、中間縦枠３ｃに屋内外方向で対向しており、戸体１の戸厚方向に向けて長い直方体形状をしたものが、戸体１の全閉状態で戸体１の戸尻側端面１ｂに近接対向して配されている。該抉じ開け防止体１１の戸体１の戸厚方向の長さは振れ止め体８の径よりも僅かに短いものに形成されていて戸体１の屋内外面と対向しており、さらに戸体１の前記下フレーム１ｄの溝奥面（天井面）１ｅには当接しない高さ（振れ止め体と略同じ高さ）に形成されているが、本実施の形態の抉じ開け防止体１１は、下フレーム１ｄの内外両脚片に対して略等距離だけ離間するように構成されている。
尚、抉じ開け防止体１１の屋内側面１１ｂの下端部には、戸体下端部に折曲形成される折曲片１ｇに沿う切欠き１１ｃが形成されており、これによって抉じ開け防止体１１は、切欠き１１ｃが折曲片１ｇに当接しない範囲内で戸体１の屋内側脚片１ｆ側に偏寄させて配することが出来るようになっている。
因みに抉じ開け防止体１１は、振れ止め体８の振れ止め機能を損なわないことが要求され、このため振れ止め体８の屋内側端８ａを越えて戸体１の屋内側脚片１ｆに近接対向することがないように設定される。
【００１９】
このように抉じ開け防止体１１が構成されることで、戸体１の全閉時、煙返し用の端材６の屋内側脚片６ｃと嵌合溝７の屋内側面とのあいだの隙間Ｓにバールのような工具を差し込んで無理やり戸体１を屋外側に抉じ開けようとしたとき、戸体１の戸尻側の屋内側脚片１ｆが抉じ開け防止体１１に当接することで抉じ開け防止をするようになっているが、このような抉じ開け防止体１１とした場合には、該抉じ開け防止体１１は、板厚方向に複数（本実施の形態では２本）のビス１１ａで固定されることになるため、抉じ開けに抗する力が大きくなってより高い防犯性を発揮することができることになり、戸体１の変形や破損防止機能をより高くすることが出来る。
また、抉じ開け防止体１１は、戸厚方向に長い直方体形状とすることで、第一、第二の実施の形態のものに比して戸体１の移動方向の長さを短くすることができ、この結果、その分だけ振れ止め体８を戸尻側端部に寄せて設けることができることになって、抉じ開け防止体１１を振れ止め体８よりも戸尻側に設けたものでありながら、振れ止め体８による戸体１の振れ止め効果が高いものとすることが出来る。
【００２０】
さらに、図８に示す第四の実施の形態のように、抉じ開け防止体１２を立方体に近い直方体形状にしてもよく、このように構成した場合、板厚方向および戸体１の移動方向に複数（本実施の形態では３本）のビス１２ａで固定されることになるため、より抉じ開けに抗する力の大きい抉じ開け防止体１２とすることができて、より一層防犯性の高い抉じ開け防止機能を発揮することが出来る。尚、抉じ開け防止体１２においても、折曲片１ｇに沿う切欠き１２ｂが形成されることによって、抉じ開け防止体１２の屋内側面１２ｃを戸体１の屋内側脚片１ｆ側に偏寄させて配することが出来るようになっている。
尚、第二以下の実施の形態においては、第一の実施の形態と同じ構成のものは第一の実施の形態のものと同じ引き出し符号を付しており、詳細な説明については第一の実施の形態の記載を援用するものとする。
【産業上の利用可能性】
【００２１】
本発明は、建築物の開口部を開閉する上吊り式引き戸の防犯装置の技術分野に利用することができる。
【符号の説明】
【００２２】
１    戸体
２ａ  ローラ
３ｅ  下枠
３ａ  上枠
４    案内レール
８    振れ止め体
９    抉じ開け防止体
【図１】
0005808234.tif 000002
【図２】
0005808234.tif 000003
【図３】
0005808234.tif 000004
【図４】
0005808234.tif 000005
【図５】
0005808234.tif 000006
【図６】
0005808234.tif 000007
【図７】
0005808234.tif 000008
【図８】
0005808234.tif 000009
【図９】
0005808234.tif 000010